(57)【要約】      （修正有）【課題】絨毯等の毛並みに入り込んだ毛髪等を容易に梳き出すことができる電気掃除機用ノズルを提供する。【解決手段】底面部１４に吸込口１７を有するノズル本体２と、前記吸込口１７と連通する接続管部３と、前記ノズル本体２の底面部１４から下方に突出する複数の突起２６，２７からなる突起群４とを有する電気掃除機用ノズル１において、前記接続管部３に屈曲部２０を設けると共に、この屈曲部２０の凸側に平面状の指当て部２１を設ける。これにより、前記接続管部３を把持した際に、前記指当て部２１に、指を曲げた状態で指腹を安定して押し当てることができるので、前記ノズル１を絨毯等に沿って引くように動かす際に、前記指当て部２１に押し当てた指に安定して力を加えやすく、結果として、容易に前記ノズル１を引くことができる。【選択図】図４
0003167137.tif 000002
【実用新案登録請求の範囲】
【請求項１】
底面部に吸込口を有するノズル本体と、
前記吸込口と連通する接続管部と、
前記ノズル本体の底面部から下方に突出する複数の突起からなる突起群とを有する電気掃除機用ノズルにおいて、
前記接続管部に屈曲部を設けると共に、この屈曲部の凸側に平面状又は凹曲面状の指当て部を設けたことを特徴とする電気掃除機用ノズル。
【請求項２】
前記指当て部を、前記ノズル本体の直上に設けたことを特徴とする請求項１記載の電気掃除機用ノズル。
【考案の詳細な説明】
【技術分野】
【０００１】
本考案は、電気掃除機のノズルに関するものであり、特に、絨毯等の毛並みに入り込んだ毛髪等を吸引するのに適した電気掃除機のノズルに関するものである。
【背景技術】
【０００２】
従来、この種の電気掃除機用ノズルとしては、真空掃除機の吸引管に対して着脱自在となるように構成されると共に、吸込口に沿う位置に、被清掃物の毛を梳くための間隔を保って並設した複数の梳歯を有する櫛状部（本願考案の突起群に相当する）を備えた吸込み具が知られている（例えば、特許文献１参照。）。この吸込み具は、絨毯等の被清掃物に櫛状部を押し当てて前後動させ、梳歯で被清掃物の毛を梳くようにしながら吸引することで、被清掃物の内部深くにあった塵埃を表面まで梳き出して、この梳き出された塵埃を吸込口から吸い込むことができる。
【先行技術文献】
【特許文献】
【０００３】
【特許文献１】実公平７−１１７３４号公報
【考案の概要】
【考案が解決しようとする課題】
【０００４】
このような電気掃除機用ノズルは、管状の吸込具本体を把持して使用される。そして、このようなノズルは、単に握るだけでなく、人差し指又は親指の指腹を吸込具本体に押し当てるようにして把持した方が、力を加えやすく、安定する。しかしながら、このような電気掃除機用ノズルは、円筒状の前記吸込具本体、即ち凸曲面に指腹を押し当てて使用するため、指がぐらついて安定させにくいという問題があった。そこで、前記吸込具本体に設けられた比較的平坦な部位に指腹を押し当てて使用することも考えられる。しかしながら、このような比較的平坦な部位は、円筒状の前記吸込具本体に設けられたものであるから、指を伸ばした状態で指腹を押し当てることになり、力を加えにくかった。また、前述した比較的平坦な部位は、櫛状部から離れた位置にあるため、この櫛状部を絨毯等に適切な力で押し当てるためには、比較的大きな力を要した。
【０００５】
本考案は以上の問題点を解決し、絨毯等の毛並みに入り込んだ毛髪等を容易に梳き出すことができる電気掃除機用ノズルを提供することを目的とする。
【課題を解決するための手段】
【０００６】
本考案の請求項１に記載の電気掃除機用ノズルは、底面部に吸込口を有するノズル本体と、前記吸込口と連通する接続管部と、前記ノズル本体の底面部から下方に突出する複数の突起からなる突起群とを有する電気掃除機用ノズルにおいて、前記接続管部に屈曲部を設けると共に、この屈曲部の凸側に平面状又は凹曲面状の指当て部を設けたものである。
【０００７】
また、本考案の請求項２に記載の電気掃除機用ノズルは、請求項１において、前記指当て部を前記ノズル本体の直上に設けたものである。
【考案の効果】
【０００８】
本考案の請求項１に記載の電気掃除機用ノズルは、以上のように構成することにより、前記接続管部を把持した際に、指を曲げた状態で前記指当て部に指腹を安定して押し当てることができるので、ノズルを絨毯等に沿って引くように動かす際に、前記指当て部に押し当てた指に安定して力を加えやすく、結果として、容易にノズルを引くことができる。
【０００９】
なお、前記指当て部を前記ノズル本体の直上に設けることで、軽い力でノズルを絨毯等に安定して押し当てることができるので、より容易にノズルを引くことができる。
【図面の簡単な説明】
【００１０】
【図１】本考案の一実施形態を示す電気掃除機用ノズルの正面図である。
【図２】同、底面図である。
【図３】同、側面図である。
【図４】同、Ａ−Ａ断面図である。
【図５】同、使用状態におけるＡ−Ａ断面図である。
【図６】本考案の他の実施形態を示す電気掃除機用ノズルの断面図である。
【図７】本考案の更に他の実施形態を示す電気掃除機用ノズルの断面図である。
【考案を実施するための形態】
【００１１】
以下、本考案の実施形態について、図１乃至図５に基づいて説明する。１は本考案の電気掃除機用ノズルであり、図示しない掃除機本体に接続される。前記ノズル１は、ノズル本体２と、接続管部３と、突起群４とで構成される。前記ノズル本体２は、平面視で横長の方形状である。そして、このノズル本体２は、上本体５と、下本体６と、基部７とを有して構成される。そして、前記上本体５と接続管部３は、一体に形成される。また、前記基部７は、前記突起群４と一体に形成され、これらによって突起部材８が構成される。更に、前記下本体６と突起部材８は、インサート成型によって一体的に形成される。そして、前記下本体６は、その底面部９の中央部に、下方に凸となる凸部１０を有する。また、この凸部１０は、その下端部１１に横長の吸込口１２を有する。更に、前記吸込口１２の中央には、連通口１３が設けられる。そして、前記基部７は、その底面部１４の中央部に、下方に凸となる凸曲面部１５を有する。また、この凸曲面部１５は、その下端部１６に、前記吸込口１２に対応して吸込口１７を有する。なお、前記凸曲面部１５は、側面視でほぼ円弧状となるように突出する。
【００１２】
前記接続管部３は、両端が開放した中空管状に形成される。この接続管部３は、前記上本体５から直立するように設けられる基管１８と、後方に倒れた状態で設けられる接続管１９と、これら基管１８と接続管１９とを繋ぐ屈曲部２０とを有して構成される。なお、前記基管１８は、ごく短く形成される。また、前記基管１８を設けず、前記屈曲部２０を前記上本体５に接続するようにしてもよい。そして、前記基管１８は、前記上本体５を下本体６に固定した際に、前記連通口１３に接続される。これによって、前記接続管部３は前記吸込口１２，１７と連通する。また、前記接続管１９は、図示しない掃除機本体に接続されるように、先端側がやや細くなるように形成される。更に、前記屈曲部２０は、その凸側、即ち前側に、平面状の指当て部２１が形成される。なお、この指当て部２１は、斜め前上方を向くように形成される。また、前記指当て部２１は、前記ノズル本体２から直立するように設けられた前記基管１８の上端に設けられた屈曲部２０の凸側に設けられるので、前記ノズル本体２の直上に位置する。更に、前記基管１８がごく短く形成されるので、前記指当て部２１は、前記ノズル本体２の近くに位置する。
【００１３】
前記突起群４は、前記ノズル本体２を構成する前記基部７の底面部１４から下方に突出して設けられる。そして、前記突起群４は、一対の内突起列２２，２３と、一対の外突起列２４，２５とから構成される。前記各内突起列２２，２３は、それぞれ前記吸込口１７に沿って短突起２６を並べることで構成される。また、前記内突起列２２は前記吸込口１７の前側に、前記内突起列２３は前記吸込口１７の後側に、それぞれ設けられる。また、前記各内突起列２２，２３は、それぞれ、右部２２Ｒ，２３Ｒと左部２２Ｌ，２３Ｌとから成る。そして、前記内突起列２２の右部２２Ｒと左部２２Ｌは、同一直線上に並ぶ。同様に、前記内突起列２３の右部２３Ｒと左部２３Ｌも、同一直線上に並ぶ。そして、前記各内突起列２２，２３は、それぞれ前記基部７の凸曲面部１５に設けられる。更に、前記内突起列２２を構成する短突起２６は、その中心軸線Ｘａの先端側が基端側よりも前方となるように、傾斜して設けられる。また、前記内突起列２３を構成する短突起２６は、その中心軸線Ｘｂの先端側が基端側よりも後方となるように、傾斜して設けられる。即ち、何れの短突起２６も、それらの中心軸線Ｘａ，Ｘｂの先端側が基端側よりも前記吸込口１７から離れるように、傾斜して設けられる。一方、前記各外突起列２４，２５は、それぞれ前記内突起列２２，２３の外側に、長突起２７を並べることで構成される。また、前記外突起列２４は、前記内突起列２２の前側に、前記外突起列２５は、前記内突起列２３の後側に、それぞれ設けられる。そして、前記各外突起列２４，２５は、それぞれ前記基部７の底面部１４における前記凸曲面部１５と平坦な外周部２８との境界部に設けられる。更に、前記外突起列２４を構成する長突起２７は、その中心軸線Ｘｃの先端側が基端側よりも前方となるように傾斜して設けられる。また、前記外突起列２５を構成する長突起２７は、その中心軸線Ｘｄの先端側が基端側よりも後方となるように傾斜して設けられる。即ち、何れの長突起２７も、それらの中心軸線Ｘｃ，Ｘｄの先端側が基端側よりも前記吸込口１７から離れるように、傾斜して設けられる。なお、前記各短突起２６の中心軸線Ｘａ，Ｘｂの傾斜角度は、傾く方向が異なるだけで、値は同じである。同様に、前記各長突起２７の中心軸線Ｘｃ，Ｘｄの傾斜角度は、傾く方向が異なるだけで、値は同じである。また、前記各短突起２６の中心軸線Ｘａ，Ｘｂの傾斜角度は、前記各長突起２７の中心軸線Ｘｃ，Ｘｄの傾斜角度よりも小さい。更に、前記各長突起２７の先端は、前記各短突起２６の先端と同じか、又は前記各短突起２６の先端よりもやや下方となる。
【００１４】
次に、本実施形態の作用について説明する。なお、以下の説明において、毛髪等とは、人の体毛ばかりでなく、ペットの体毛も含む。まず、使用者は、前記接続管部３の接続管１９を、図示しない前記掃除機本体に接続した後、この掃除機本体を作動させる。そして、使用者は、前記接続管部３を把持し、前記ノズル本体２の後方が高く、前方が低くなるように前記ノズル１を傾斜させて、前記吸込口１２の前側に設けられた内突起列２２及び外突起列２４を絨毯Ｃ等に押し当てた後、この絨毯Ｃ等に沿って前記ノズル１を進行方向Ｄ（この場合、後方向）に移動させる。即ち、この場合、前記内突起列２２及び外突起列２４は、進行方向Ｄを基準として、前記吸込口１２の後側となる。そして、この際、前記外突起列２４を構成する長突起２７が、前記内突起列２２を構成する短突起２６よりも強く絨毯Ｃ等に押し付けられるので、前記長突起２７は、進行方向Ｄに対して遅れる方向に大きく変形する。一方、前記短突起２６は、進行方向Ｄに対して遅れる方向に小さく変形する。このように、大きく変形した長突起２７と、小さく変形した短突起２６とで、絨毯Ｃ等の毛並みに潜んだ毛髪等が、前記各突起２６，２７の進行方向Ｄの前側、即ち前記吸込口１２，１７側に梳き出される。そして、前記各突起２６，２７によって梳き出された毛髪等は、前記基部７と絨毯Ｃ等の間を通った気流に乗り、前記各突起２６，２７の進行方向Ｄの前側に位置する前記吸込口１２，１７から、前記連通口１３及び接続管部３を経由して、図示しない前記掃除機本体に吸引される。
【００１５】
この作用について詳述する。本実施形態は、前述した通り、前記吸込口１７が、前記ノズル本体２を構成する基部７の凸曲面部１５の下端部１６に設けられるので、前記吸込口１７から絨毯Ｃ等までの距離を比較的小さくすることができる。特に、前記凸曲面部１５が、側面視で円弧状となるように構成されるので、図５に示すように前記ノズル本体２を傾斜させた場合でも、前記吸込口１７の後部がやや高くなるものの、前記吸込口１７の前端から中央部にかけての広い範囲で、前記吸込口１７から絨毯Ｃ等までの距離をほぼ均等に比較的小さくすることができる。これによって、前記基部７と絨毯Ｃ等との間を通過する気流の流速が低下しないようにすることができるので、梳き出された毛髪等を前記吸込口１７から前記吸込口１２を経由して確実に吸引することができる。このため、前記ノズル１を比較的出力の小さな掃除機本体に接続したとしても、梳き出された毛髪等を効率的に回収することができる。また、前述したように、前記凸曲面部１５が、側面視で円弧状となるように構成されるので、前記ノズル１を引く際に、その傾斜角度が変動しても、前記吸込口１７から絨毯Ｃ等までの距離の変動が少ないので、この距離を適正に保つことができる。また、前記短突起２６の先端が、比較的下方に位置するので、前記短突起２６と長突起２７の両方で、絨毯Ｃ等に潜んだ毛髪等を梳き出すことができる。この際、前記長突起２７が大きく撓み、前記短突起２６が小さく撓むことで、これら長突起２７と短突起２６の角度を違わせることができるので、より効果的に絨毯Ｃ等から毛髪等を梳き出すことができる。更に、前記内突起列２２を構成する短突起２６と、前記外突起列２４を構成する長突起２７が、進行方向Ｄに対して遅れる方向に傾斜するので、前記突起群４が絨毯Ｃ等から受ける抵抗を小さくすることができる。これによって、軽い操作力で、絨毯Ｃ等に潜んだ毛髪等を梳き出すことができる。
【００１６】
なお、本実施形態は、前記接続管部３を握る際、使用者の指Ｆ（人差し指又は親指）の指腹を、前記屈曲部２０の凸側に設けられた平面状の前記指当て部２１に押し当てることで、前記指当て部２１に押し当てた指Ｆに安定して力を加えやすい。この結果、絨毯Ｃ等に沿って進行方向Ｄに引くように前記ノズル１を動かす際に、容易に前記ノズル１を引くことができる。また、前記指当て部２１が前記ノズル本体２の直上に設けられることで、前記指当て部２１に加えた力を安定して効率的に前記各突起２６，２７に伝えることができる。この結果、軽い力で前記突起群４を絨毯Ｃ等に安定して押し当てることができるので、より容易に前記ノズル１を引くことができる。なお、前記指当て部２１が前記屈曲部２０の凸側、即ち前側に設けられることで、図５に示すように前記ノズル本体２を傾斜させた場合、絨毯Ｃ等と接する前記各突起列２２，２４と前記指当て部２１との進行方向Ｄのズレが小さくなるので、より効率的に前記指当て部２１に加えた力を前記各突起列２２，２４に伝えることができる。更に、前記基管１８をごく短く形成したことで、前記指当て部２１と突起群４との距離を短くできるので、この突起群４をより安定して絨毯Ｃ等に押し当て、引くことができる。
【００１７】
以上のように、本考案は、底面部１４に吸込口１７を有するノズル本体２と、前記吸込口１７と連通する接続管部３と、前記ノズル本体２の底面部１４から下方に突出する複数の突起２６，２７からなる突起群４とを有する電気掃除機用ノズル１において、前記接続管部３に屈曲部２０を設けると共に、この屈曲部２０の凸側に平面状の指当て部２１を設けたことで、前記接続管部３を把持した際に、前記指当て部２１に、指Ｆを曲げた状態で指腹を安定して押し当てることができるので、前記ノズル１を絨毯Ｃ等に沿って引くように動かす際に、前記指当て部２１に押し当てた指Ｆに安定して力を加えやすく、結果として、容易に前記ノズル１を引くことができるものである。
【００１８】
また本考案は、前記指当て部２１を前記ノズル本体２の直上に設けることで、軽い力で前記ノズル１を絨毯Ｃ等に安定して押し当てることができるので、より容易に前記ノズル１を引くことができるものである。
【００１９】
なお、本考案は以上の実施形態に限定されるものではなく、考案の要旨の範囲内で種々の変形実施が可能である。例えば、上記実施形態では、前記指当て部を平面状に形成したが、図６に示すように、指当て部３１を凹曲面状に形成しても良い。また、上記実施形態では、接続管部の屈曲部の凸側を内側に凹ますことで指当て部を形成したが、図７に示すように、接続管部の屈曲部の凸側に突出部４１を設け、この突出部に指当て部４２を形成しても良い。
【符号の説明】
【００２０】
１  電気掃除機用ノズル
２  ノズル本体
３  接続管部
４  突起群
１４  底面部
２０  屈曲部
２１，３１，４２  指当て部
２６  短突起
２７  長突起
Ｆ  指
【図１】
0003167137.tif 000003
【図２】
0003167137.tif 000004
【図３】
0003167137.tif 000005
【図４】
0003167137.tif 000006
【図５】
0003167137.tif 000007
【図６】
0003167137.tif 000008
【図７】
0003167137.tif 000009